(57)【要約】      （修正有）【課題】太陽電池本体の暗面に背面バスバー電極が設けられ、背面バスバー電極は、高抵抗領域と低抵抗領域とから構成され、背面バスバー電極の高抵抗領域により、太陽電池の生産コストを低減可能にする太陽電池を提供する。【解決手段】互いに対応している、暗面１１と、光受け面と、を有する太陽電池本体１と、第１方向に沿って暗面に配列され、少なくとも三つの低抵抗領域と、低抵抗領域と交替するように設けられている少なくとも二つの高抵抗領域と、をそれぞれ含み、これらの低抵抗領域とこれらの高抵抗領域は、第１方向に垂直する第２方向に沿って延びており、これらの低抵抗領域は、二つのより短い第１低抵抗領域２１ａ，２２ａと、一つのより長い第２低抵抗領域２３ａ，２４ａと、を少なくとも有し、これらの高抵抗領域は、長さが相違する、一つの第１高抵抗領域２５ａ，２７ａと、一つの第２高抵抗領域２６ａと、を少なくとも有する複数の背面バスバー電極２ａ，２ｂ，２ｃと、を含む。【選択図】図３
0003187867.tif 000002
【実用新案登録請求の範囲】
【請求項１】
互いに対応している、暗面と、光受け面と、を有する太陽電池本体と、
第１方向に沿って前記暗面に配列されており、少なくとも三つの低抵抗領域と、前記低抵抗領域と交替するように設けられている少なくとも二つの高抵抗領域と、をそれぞれ含み、少なくとも三つの前記低抵抗領域と少なくとも二つの前記高抵抗領域とは、前記第１方向に垂直する第２方向に沿って延びており、少なくとも三つの前記低抵抗領域は、二つの第１低抵抗領域と、前記第１低抵抗領域よりも長さが長い一つの第２低抵抗領域と、を少なくとも有し、少なくとも二つの前記高抵抗領域は、長さが相違する、一つの第１高抵抗領域と、一つの第２高抵抗領域と、を少なくとも有する複数の背面バスバー電極と、
を含む太陽電池において、
前記複数の背面バスバー電極のそれぞれにおける少なくとも三つの前記低抵抗領域の面積の合計は同じであることを特徴とする太陽電池。
【請求項２】
前記二つの第１低抵抗領域は、前記第２方向に沿って前記太陽電池本体の両端に近接する箇所に設けられており、前記第２低抵抗領域は、前記第２方向に沿って前記二つの第１低抵抗領域の間に設けられていることを特徴とする、請求項１に記載の太陽電池。
【請求項３】
前記二つの第１低抵抗領域のアスペクト比は、それぞれ４．５〜８．６２５の範囲内にあることを特徴とする、請求項１又は２に記載の太陽電池。
【請求項４】
前記第２低抵抗領域のアスペクト比は、４．５〜８．６２５の範囲内にあることを特徴とする、請求項１から３のいずれか一項に記載の太陽電池。
【請求項５】
前記第２低抵抗領域の長さと前記二つの第１低抵抗領域のそれぞれの長さとの差は、前記二つの第１低抵抗領域の長さの１５％よりも小さいことを特徴とする、請求項１から４のいずれか一項に記載の太陽電池。
【請求項６】
前記第２低抵抗領域の長さと前記二つの第１低抵抗領域のそれぞれの長さの差は、前記二つの第１低抵抗領域のそれぞれの長さの５％よりも大きいことを特徴とする、請求項５に記載の太陽電池。
【請求項７】
前記二つの第１低抵抗領域の長さは、それぞれ１３．５ｍｍ〜１５ｍｍの範囲内にあることを特徴とする、請求項１から６のいずれか一項に記載の太陽電池。
【請求項８】
前記第２高抵抗領域の長さと前記第１高抵抗領域の長さの差は、前記第１高抵抗領域の長さの１５％よりも小さいことを特徴とする、請求項１から７のいずれか一項に記載の太陽電池。
【請求項９】
前記第２高抵抗領域の長さと前記第１高抵抗領域の長さとの差は、前記第１高抵抗領域の長さの５％よりも大きいことを特徴とする、請求項８に記載の太陽電池。
【請求項１０】
前記第１高抵抗領域の長さは２１ｍｍ〜２３．５ｍｍの範囲内にあることを特徴とする、請求項１から９のいずれか一項に記載の太陽電池。
【請求項１１】
前記第１低抵抗領域の幅は２ｍｍ〜３ｍｍの範囲内にあることを特徴とする、請求項１から１０のいずれか一項に記載の太陽電池。
【請求項１２】
前記第２低抵抗領域の幅は２ｍｍ〜３ｍｍの範囲内にあることを特徴とする、請求項１から１１のいずれか一項に記載の太陽電池。
【請求項１３】
前記複数の背面バスバー電極のそれぞれは、四つの低抵抗領域と、三つの高抵抗領域と、をそれぞれ少なくとも含み、三つの前記高抵抗領域と四つの前記低抵抗領域とは、交替するように設けられていることを特徴とする、請求項１に記載の太陽電池。
【請求項１４】
四つの前記低抵抗領域は、二つの第１低抵抗領域と、前記二つの第１高抵抗領域のそれぞれよりも長さが長い二つの第２低抵抗領域と、を含み、三つの前記高抵抗領域は、二つの第１高抵抗領域と、前記二つの第１高抵抗領域のそれぞれよりも長さが長い一つの第２高抵抗領域と、を含むことを特徴とする、請求項１３に記載の太陽電池。
【請求項１５】
前記二つの第１低抵抗領域は、前記第２方向に沿って前記太陽電池本体の両端に近接する箇所に設けられており、前記第２低抵抗領域は、前記第２方向に沿って前記二つの第１低抵抗領域の間に設けられていることを特徴とする、請求項１３又は１４に記載の太陽電池。
【請求項１６】
前記第１高抵抗領域は、前記第２方向に沿って前記二つの第１低抵抗領域のそれぞれと前記第２低抵抗領域との間に設けられており、前記第２高抵抗領域は、前記第２方向に沿って前記二つの第２低抵抗領域の間に設けられていることを特徴とする、請求項１３から１５のいずれか一項に記載の太陽電池。
【考案の詳細な説明】
【技術分野】
【０００１】
本考案は、太陽電池に関し、特に、太陽電池本体の暗面に高抵抗領域と低抵抗領域を設けることにより、背面バスバー電極を形成する太陽電池に関するものである。
【背景技術】
【０００２】
近年、地球温暖化及び石油危機などにより、代替エネルギーが重要視されている。太陽電池は、クリーンで便利であるため、代替エネルギーとして利用する傾向が強い。現在、太陽電池は、結晶シリコン太陽電池、化合物太陽電池及び色素増感太陽電池などに大雑把に分けられているが、結晶シリコン太陽電池が主流である。結晶シリコン太陽電池は、結晶の形態によって、アモルファスシリコン薄膜太陽電池と、単結晶シリコン/多結晶シリコン太陽電池とに分けられている。しかし、太陽電池の発電量は光を吸収する面積によって決めるため、太陽電池が大面積なプレートに作製されることが一般的である。
【０００３】
図１を参照する。図１は従来の太陽電池を示す平面図である。太陽電池ＰＡ１００は、図１に示すように、太陽電池本体ＰＡ１と、バスＰＡ２、ＰＡ３と、を含む。太陽電池本体ＰＡ１は、結晶シリコン太陽電池であり、光を吸収する面積を有効に増加するために、バスＰＡ２、ＰＡ３を太陽電池本体ＰＡ１の暗面に設けて、溶接リボン（ｒｉｂｂｏｎ）ＰＡ４、ＰＡ５によってバスＰＡ２とバスＰＡ３を電気的に接続することにより、複数の太陽電池ＰＡ１００が直列接続される。
【０００４】
従来のバスは、条状の形式で太陽電池本体に設けられているが、太陽電池本体からの電流を有効に収集するために、電気抵抗がより低い材料（例えば銀ペースト）を採用することが一般的である。しかし、銀ペーストなどの低い電気抵抗を有する導電材料のコストが高いため、太陽電池の生産コストが増加する。
【０００５】
従来、太陽電池本体に銀ペーストを条状に塗布することにより、バスを形成することが一般的であるが、銀ペーストなどの低い電気抵抗を有する導電材料のコストが高いため、太陽電池の価格が高く、有効に普及することができない。
【０００６】
各溶接リボンとバスバー電極の結合力をほぼ同じにするために、各背面バスバー電極の低抵抗領域の面積の合計は同じであることが必要である。一方、低抵抗領域と高抵抗領域の境界に段差があるため、溶接リボンが背面バスバー電極に設けられているときに、境界に位置する溶接リボンは、曲がり状態となり、低抵抗領域と高抵抗領域とに良く貼り付けることはできない。このように、境界に位置する溶接リボンは、接合が良くないため、引張強度が降下する。すなわち、低抵抗領域の長さが短すぎる場合には、溶接リボンの低抵抗領域に緊密に貼付け可能な接着面積が大幅に減少するため、溶接リボンの引張強度が著しく降下する。このため、各バスバー電極の低抵抗領域の面積の合計は同じであることが必要であり、且つ各低抵抗領域は特定の長さの制限があるため、バスバー電極の低抵抗領域は一定のアスペクト比を有する。背面バスバー電極に溶接リボンを設けたと、低抵抗領域は一定の面積及び長さを有するため、低抵抗領域と溶接リボンの間の有効接着面積を増加することが可能であり、これにより、低抵抗領域と溶接リボンの間の引張強度を増加することが可能である。
【考案の概要】
【考案が解決しようとする課題】
【０００７】
本考案の主な目的は、太陽電池本体の暗面に背面バスバー電極が設けられており、背面バスバー電極は、高抵抗領域と、低抵抗領域と、から構成され、背面バスバー電極の高抵抗領域により、太陽電池の生産コストを低減することが可能な太陽電池を提供することにある。
【課題を解決するための手段】
【０００８】
本考案の太陽電池によると、互いに対応している、暗面と、光受け面と、を有する太陽電池本体と、第１方向に沿って暗面に配列されており、少なくとも三つの低抵抗領域と、低抵抗領域と交替するように設けられている少なくとも二つの高抵抗領域と、をそれぞれ含み、これらの低抵抗領域とこれらの高抵抗領域は、第１方向に垂直する第２方向に沿って延びており、これらの低抵抗領域は、二つのより短い第１低抵抗領域と、一つのより長い第２低抵抗領域と、を少なくとも有し、これらの高抵抗領域は、長さが相違する、一つの第１高抵抗領域と、一つの第２高抵抗領域と、を少なくとも有する複数の背面バスバー電極と、を含む太陽電池において、これらの背面バスバー電極のこれらの低抵抗領域の面積の合計は同じであることを特徴とする。
【０００９】
本考案の太陽電池によると、二つの第１低抵抗領域は、第２方向に沿って太陽電池本体の両端に近接する箇所に設けられており、第２低抵抗領域は、第２方向に沿って二つの第１低抵抗領域の間に設けられていることを特徴とする。
【００１０】
本考案の太陽電池によると、二つの第１低抵抗領域のアスペクト比は、４．５〜８．６２５範囲内にあることを特徴とする。
【００１１】
本考案の太陽電池によると、第２低抵抗領域のアスペクト比は、４．５〜８．６２５範囲内にあることを特徴とする。
【００１２】
本考案の太陽電池によると、第２低抵抗領域の長さと二つの第１低抵抗領域の長さの差は、二つの第１低抵抗領域の長さの１５％よりも小さいことを特徴とする。
【００１３】
本考案の太陽電池によると、第２低抵抗領域の長さと二つの第１低抵抗領域の長さの差は、二つの第１低抵抗領域の長さの５％よりも大きいことを特徴とする。
【００１４】
本考案の太陽電池によると、二つの第１低抵抗領域の長さは１３．５ｍｍ〜１５ｍｍ範囲内にあることを特徴とする。
【００１５】
本考案の太陽電池によると、第２高抵抗領域の長さと第１高抵抗領域の長さの差は、第１高抵抗領域の長さの１５％よりも小さいことを特徴とする。
【００１６】
本考案の太陽電池によると、第２高抵抗領域の長さと第１高抵抗領域の長さの差は、第１高抵抗領域の長さの５％よりも大きいことを特徴とする。
【００１７】
本考案の太陽電池によると、二つの第１高抵抗領域の長さは２１ｍｍ〜２３．５ｍｍ範囲内にあることを特徴とする。
【００１８】
本考案の太陽電池によると、第１低抵抗領域の幅は２ｍｍ〜３ｍｍ範囲内にあることを特徴とする。
【００１９】
本考案の太陽電池によると、第２低抵抗領域の幅は２ｍｍ〜３ｍｍ範囲内にあることを特徴とする。
【００２０】
本考案の太陽電池によると、これらの背面バスバー電極は、四つの低抵抗領域と、三つの高抵抗領域と、をそれぞれ少なくとも含み、これらの高抵抗領域とこれらの低抵抗領域は、交替するように設けられていることを特徴とする。
【００２１】
本考案の太陽電池によると、これらの低抵抗領域は、二つのより短い第１低抵抗領域と、二つのより長い第２低抵抗領域と、を含み、これらの高抵抗領域は、二つのより短い第１高抵抗領域と、一つのより長い第２高抵抗領域と、を含むことを特徴とする。
【００２２】
本考案の太陽電池によると、二つの第１低抵抗領域は、第２方向に沿って太陽電池本体の両端に近接する箇所に設けられており、第２低抵抗領域は、第２方向に沿って二つの第１低抵抗領域の間に設けられていることを特徴とする。
【００２３】
本考案の太陽電池によると、第１高抵抗領域は、第２方向に沿って二つの第１低抵抗領域と第２低抵抗領域の間に設けられており、第２高抵抗領域は、第２方向に沿って二つの第２低抵抗領域の間に設けられていることを特徴とする。
【考案の効果】
【００２４】
本考案の太陽電池によれば、太陽電池本体の暗面に背面バスバー電極が設けられており、背面バスバー電極は、高抵抗領域と、低抵抗領域と、から構成され、背面バスバー電極の高抵抗領域により、太陽電池の生産コストを低減することが可能であるという効果を有する。
【図面の簡単な説明】
【００２５】
【図１】従来の太陽電池を示す平面図である。
【図２】本考案の一実施例を示す斜視図である。
【図３】本考案の一実施例を示す平面図である。
【考案を実施するための形態】
【００２６】
以下、本考案の実施の形態を図面に基づいて説明する。
図２及び図３を参照する。図２は本考案の一実施例を示す斜視図であり、図３は本考案の一実施例を示す平面図である。太陽電池１００は、太陽電池本体１と、背面バスバー電極２ａ、２ｂ、２ｃと、を含む。太陽電池本体１は、互いに対応している、暗面１１と、光受け面１２と、を有する。光受け面１２は光線を接収するためのものである。
【００２７】
背面バスバー電極２ａ、２ｂ、２ｃは、第１方向Ｌ１に沿って暗面１１に配列されている。背面バスバー電極２ａは、四つの低抵抗領域（例えば第１低抵抗領域２１ａ、第１低抵抗領域２２ａ、第２低抵抗領域２３ａ及び第２低抵抗領域２４ａ）と、三つの高抵抗領域（例えば第１高抵抗領域２５ａ、第２高抵抗領域２６ａ及び第１高抵抗領域２７ａ）と、を少なくとも含む。図３に示すように、背面バスバー電極２ａの両端と太陽電池１００のエッジの間には、緩衝距離がそれぞれあり、前記高抵抗領域と前記低抵抗領域は、交替するように設けられている。背面バスバー電極２ａには、第１低抵抗領域２１ａ、第１高抵抗領域２５ａ、第２低抵抗領域２３ａ、第２高抵抗領域２６ａ、第２低抵抗領域２４ａ、第１高抵抗領域２７ａ及び第１低抵抗領域２２ａが順次に配列されている。
【００２８】
実際には、第１低抵抗領域２１ａ、２２ａと第２低抵抗領域２３ａ、２４ａには、低い電気抵抗を有する導電材料（例えば銀ペースト）が塗布されており、なお、第１高抵抗領域２５ａ、２７ａと第２高抵抗領域２６ａには、電気抵抗が低抵抗領域２１ａ、２２ａ、２３ａ、２４ａの電気抵抗よりも高い導電材料（例えばアルミペースト）が塗布されている。すなわち、低抵抗領域２１ａ、２２ａ、２３ａ、２４ａとは、電気抵抗が高抵抗領域２５ａ、２６ａ、２７ａの電気抵抗よりも低い領域である。
【００２９】
第１低抵抗領域２１ａ、２２ａ、第２低抵抗領域２３ａ、２４ａ、第１高抵抗領域２５ａ、２７ａ及び第２高抵抗領域２６ａは、第１方向Ｌ１に垂直する第２方向Ｌ２に沿って延びている。
【００３０】
本実施例では、第１低抵抗領域２１ａ、２２ａは、より短い低抵抗領域であり、第２方向Ｌ２に沿って太陽電池本体１の両端に近接する箇所に設けられており、第１低抵抗領域長さＢＬ１を有する。本実施例では、第２低抵抗領域２３ａ、２４ａは、より長い低抵抗領域であり、第２方向Ｌ２に沿って第１低抵抗領域２１ａ、２２ａの間に設けられており、第２低抵抗領域長さＢＬ２を有する。第１低抵抗領域長さＢＬ１は、第２低抵抗領域長さＢＬ２に相違する。
【００３１】
本実施例では、第１高抵抗領域２５ａ、２７ａは、より短い高抵抗領域であり、第１高抵抗領域長さＢＤ１を有する。本実施例では、第２高抵抗領域２６ａは、より長い高抵抗領域であり、第２高抵抗領域長さＢＤ２を有する。第１高抵抗領域長さＢＤ１は、第２高抵抗領域長さＢＤ２に相違する。
【００３２】
特に強調したいのは、背面バスバー電極２ｂ、２ｃの構造が背面バスバー電極２ａと同じであるため、背面バスバー電極２ａだけを例にして説明した。そして背面バスバー電極２ｂの低抵抗領域（図示せず）の面積の合計は、背面バスバー電極２ａの低抵抗領域２１ａ、２２ａ、２３ａ、２４ａの面積の合計と同じである。背面バスバー電極２ｃの低抵抗領域（図示せず）の面積の合計も、背面バスバー電極２ａの低抵抗領域２１ａ、２２ａ、２３ａ、２４ａの面積の合計と同じである。
【００３３】
実際に、太陽電池本体１が１５５ｍｍ×１５５ｍｍの正方形なプレートである場合には、第１低抵抗領域長さＢＬ１が１３．５ｍｍ〜１５ｍｍ範囲内にあることが好ましい。なお、本実施例では、第１低抵抗領域長さＢＬ１が１４．８ｍｍである。第２低抵抗領域長さＢＬ２は、第１低抵抗領域長さＢＬ１の１０５％〜１１５％範囲内にある。本実施例では、第２低抵抗領域長さＢＬ２が１６．４ｍｍである。第１高抵抗領域長さＢＤ１は２１ｍｍ〜２３．５ｍｍ範囲内にあることが好ましい。本実施例では、第１高抵抗領域長さＢＤ１が２２．４ｍｍである。第２高抵抗領域長さＢＤ２は、第１高抵抗領域長さＢＤ１の１０５％〜１１５％範囲内にある。本実施例では、第２高抵抗領域長さＢＤ２が２３．８５ｍｍである。
【００３４】
第１低抵抗領域長さＢＬ１と第２低抵抗領域長さＢＬ２の長さの差は１．６ｍｍであり、これは、より短い第１低抵抗領域長さＢＬ１の１０．８％である。第１低抵抗領域長さＢＬ１と第２低抵抗領域長さＢＬ２の長さの差は、第１低抵抗領域長さＢＬ１の１５％よりも小さいことが好ましい。例えば上記の長さの差が１．６ｍｍであるため、１４．８ｍｍである第１低抵抗領域長さＢＬ１の１５％（２．２２ｍｍ）よりも小さい。そして第１低抵抗領域長さＢＬ１と第２低抵抗領域長さＢＬ２の長さの差は、第１低抵抗領域長さＢＬ１の５％よりも大きいことが好ましい。例えば上記の長さの差が１．６ｍｍであるため、１４．８ｍｍである第１低抵抗領域長さＢＬ１の５％（０．７４ｍｍ）よりも大きい。
【００３５】
一方、第１高抵抗領域長さＢＤ１と第２高抵抗領域長さＢＤ２の長さの差は１．４５ｍｍであり、これは、より短い第１高抵抗領域長さＢＤ１の６．５％である。第１高抵抗領域長さＢＤ１と第２高抵抗領域長さＢＤ２の長さの差は、第１高抵抗領域長さＢＤ１の１５％よりも小さいことが好ましい。例えば上記の長さの差が１．４５ｍｍであるため、２２．４ｍｍである第１高抵抗領域長さＢＤ１の１５％（３．３６ｍｍ）よりも小さい。そして第１高抵抗領域長さＢＤ１と第２高抵抗領域長さＢＤ２の長さの差は、第１高抵抗領域長さＢＤ１の５％（１．１２ｍｍ）よりも大きい。
【００３６】
一方、第１低抵抗領域２１ａ、２２ａと第２低抵抗領域２３ａ、２４ａの幅Ｗは、２ｍｍ〜３ｍｍ範囲内にある。本実施例では、第１低抵抗領域２１ａ、２２ａと第２低抵抗領域２３ａ、２４ａの幅Ｗが２．５ｍｍである。このため、第１低抵抗領域２１ａ、２２ａのアスペクト比は５．９２であり、第２低抵抗領域２３ａ、２４ａのアスペクト比は６．５６である。第１低抵抗領域２１ａ、２２ａと第２低抵抗領域２３ａ、２４ａのアスペクト比は４．５〜８．６２５範囲内にあることが好ましい。
【００３７】
上記の説明から明らかなように、本考案の太陽電池は、太陽電池本体に背面バスバー電極が複数設けられており、前記背面バスバー電極は、少なくとも三つの低抵抗領域と、前記低抵抗領域と交替するように設けられている少なくとも二つの高抵抗領域と、から構成されるため、前記高抵抗領域により、前記低抵抗領域の導電材料の使用量を減少することが可能である。当該技術分野の通常な知識を有する者は理解できるのは、太陽電池本体は低抵抗領域のレイアウトによって電流を導出する位置を設計することが可能であり、背面バスバー電極に溶接リボンを電気的に接続すること（図示せず、当該技術分野の通常な知識であるため、説明を省略した）により、溶接リボンによって太陽電池本体からの電流は低抵抗領域を経由して導出することが可能である。これは、太陽電池本体に一本の背面バスバー電極が設けられている従来のものに比べて、低抵抗領域の導電材料の使用量を減少することが可能であり、生産コストを減少することが可能である。
【００３８】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３９】
本考案は、太陽電池に適用することができる。
［項目１］
互いに対応している、暗面と、光受け面と、を有する太陽電池本体と、
第１方向に沿って上記暗面に配列されており、少なくとも三つの低抵抗領域と、上記低抵抗領域と交替するように設けられている少なくとも二つの高抵抗領域と、をそれぞれ含み、これらの上記低抵抗領域とこれらの上記高抵抗領域は、上記第１方向に垂直する第２方向に沿って延びており、これらの上記低抵抗領域は、二つのより短い第１低抵抗領域と、一つのより長い第２低抵抗領域と、を少なくとも有し、これらの上記高抵抗領域は、長さが相違する、一つの第１高抵抗領域と、一つの第２高抵抗領域と、を少なくとも有する複数の背面バスバー電極と、
を含む太陽電池において、
これらの上記背面バスバー電極のこれらの上記低抵抗領域の面積の合計は同じであることを特徴とする太陽電池。
［項目２］
上記二つの第１低抵抗領域は、上記第２方向に沿って上記太陽電池本体の両端に近接する箇所に設けられており、上記第２低抵抗領域は、上記第２方向に沿って上記二つの第１低抵抗領域の間に設けられていることを特徴とする、項目１に記載の太陽電池。
［項目３］
上記二つの第１低抵抗領域のアスペクト比は、４．５〜８．６２５範囲内にあることを特徴とする、項目１に記載の太陽電池。
［項目４］
上記第２低抵抗領域のアスペクト比は、４．５〜８．６２５範囲内にあることを特徴とする、項目１に記載の太陽電池。
［項目５］
上記第２低抵抗領域の長さと上記二つの第１低抵抗領域の長さの差は、上記二つの第１低抵抗領域の長さの１５％よりも小さいことを特徴とする、項目１に記載の太陽電池。
［項目６］
上記第２低抵抗領域の長さと上記二つの第１低抵抗領域の長さの差は、上記二つの第１低抵抗領域の長さの５％よりも大きいことを特徴とする、項目５に記載の太陽電池。
［項目７］
上記二つの第１低抵抗領域の長さは１３．５ｍｍ〜１５ｍｍ範囲内にあることを特徴とする、項目１に記載の太陽電池。
［項目８］
上記第２高抵抗領域の長さと上記第１高抵抗領域の長さの差は、上記第１高抵抗領域の長さの１５％よりも小さいことを特徴とする、項目１に記載の太陽電池。
［項目９］
上記第２高抵抗領域の長さと上記第１高抵抗領域の長さの差は、上記第１高抵抗領域の長さの５％よりも大きいことを特徴とする、項目８に記載の太陽電池。
［項目１０］
上記二つの第１高抵抗領域の長さは２１ｍｍ〜２３．５ｍｍ範囲内にあることを特徴とする、項目９に記載の太陽電池。
［項目１１］
上記第１低抵抗領域の幅は２ｍｍ〜３ｍｍ範囲内にあることを特徴とする、項目１に記載の太陽電池。
［項目１２］
上記第２低抵抗領域の幅は２ｍｍ〜３ｍｍ範囲内にあることを特徴とする、項目１に記載の太陽電池。
［項目１３］
これらの上記背面バスバー電極は、四つの低抵抗領域と、三つの高抵抗領域と、をそれぞれ少なくとも含み、これらの上記高抵抗領域とこれらの上記低抵抗領域は、交替するように設けられていることを特徴とする、項目１に記載の太陽電池。
［項目１４］
これらの上記低抵抗領域は、二つのより短い第１低抵抗領域と、二つのより長い第２低抵抗領域と、を含み、これらの上記高抵抗領域は、二つのより短い第１高抵抗領域と、一つのより長い第２高抵抗領域と、を含むことを特徴とする、項目１３に記載の太陽電池。
［項目１５］
上記二つの第１低抵抗領域は、上記第２方向に沿って上記太陽電池本体の両端に近接する箇所に設けられており、上記第２低抵抗領域は、上記第２方向に沿って上記二つの第１低抵抗領域の間に設けられていることを特徴とする、項目１４に記載の太陽電池。
［項目１６］
上記第１高抵抗領域は、上記第２方向に沿って上記二つの第１低抵抗領域と上記第２低抵抗領域の間に設けられており、上記第２高抵抗領域は、上記第２方向に沿って上記二つの第２低抵抗領域の間に設けられていることを特徴とする、項目１５に記載の太陽電池。
【符号の説明】
【００４０】
１  太陽電池本体
２ａ、２ｂ、２ｃ  背面バスバー電極
１１  暗面
１２  光受け面
２１ａ、２２ａ  第１低抵抗領域
２３ａ、２４ａ  第２低抵抗領域
２５ａ、２７ａ  第１高抵抗領域
２６ａ  第２高抵抗領域
１００  太陽電池
ＢＬ１  第１低抵抗領域長さ
ＢＬ２  第２低抵抗領域長さ
ＢＤ１  第１高抵抗領域長さ
ＢＤ２  第２高抵抗領域長さ
Ｌ１  第１方向
Ｌ２  第２方向
ＰＡ１  太陽電池本体
ＰＡ２、ＰＡ３  バス
ＰＡ４、ＰＡ５  溶接リボン
ＰＡ１００  太陽電池
Ｗ  幅
【図１】
0003187867.tif 000003
【図２】
0003187867.tif 000004
【図３】
0003187867.tif 000005